(57)【要約】【課題】舗装された道路ないし敷地に設けられる側溝用の蓋板ブロックに関し、道路や敷地の表面と蓋板を覆着した側溝の上面とを一体の舗装層で一面に覆った舗装構造において、舗装面上の雨水等を速やかに側溝内に流下させることを可能にした施工性に優れた蓋板ブロックを提供する。【解決手段】一側縁に、溝ブロックの蓋掛かり２２の内側に開口されるように上面から下面へと貫通する切欠２１と、道路表面の舗装層２０の厚さと略同一高さでブロック上面に突出する内畝１９とを備えている蓋板ブロックを提供する。前記一側縁には、蓋板上面に突出する側畝を設けることができ、この側畝を設けたときは、前記切欠に替えて、側畝と内畝の間から溝ブロックの蓋掛かり２２の内側に開口される貫通孔３５を設ける。【選択図】      図１
0003119258.tif 000002
【実用新案登録請求の範囲】
【請求項１】
片側の側縁(41)から所定距離内側の位置に道路表面の舗装層(20)の厚さと略同一高さで当該側縁と平行にブロック上面に突出する内畝(19)と、この内畝と前記側縁との間において、下端が溝ブロックの蓋掛かり(22)の内側に開口するようにブロック上面から下面へ貫通する切欠(21)ないし貫通孔(35)とを備えている、コンクリートの一体成形品からなる、側溝用蓋板ブロック。
【請求項２】
前記切欠(21)が前記内畝(19)と片側側縁(41)の間のブロック上面から下面へとブロックの内側に向けて拡げられて貫通する切欠である、請求項１記載の側溝用蓋板ブロック。
【請求項３】
前記内畝(19)と片側側縁(41)の間のブロック上面にドレーン金具(18)が装着されている、請求項１又は２記載の側溝用蓋板ブロック。
【請求項４】
片側の側縁においてブロック上面に突出する側畝(40)と、この側畝との間に所定間隔を隔てて道路表面の舗装層(20)の厚さと略同一高さで当該側畝と平行にブロック上面に突出する内畝(19)と、この側畝と内畝との間において、下端が溝ブロックの蓋掛かり(22)の内側に開口されるように上面から下面へ貫通する切欠(21)ないし貫通孔(35)とを備えている、コンクリートの一体成形品からなる、側溝用蓋板ブロック。
【請求項５】
前記貫通孔(35)が前記側畝(40)と内畝(19)の間のブロック上面から下面へとブロックの内側に向けて拡げられて貫通する貫通孔である、請求項４記載の側溝用蓋板ブロック。
【請求項６】
前記側畝(40)と内畝(19)の間のブロック上面にドレーン金具(18)が装着されている、請求項４又は５記載の側溝用蓋板ブロック。
【考案の詳細な説明】
【技術分野】
【０００１】
この考案は、アスファルト舗装、タイル舗装、透水舗装などの舗装がされた道路ないし敷地に設けられる側溝用の蓋板ブロックに関するものである。
【背景技術】
【０００２】
道路や駐車場などの敷地には、その側縁に沿って雨水や融雪水を排水するための側溝を設けている。一般的には、道路や敷地の側縁（路側や敷地の周辺）に沿ってＵ字溝ブロックや勾配可変ブロックを埋設し、路面がこれらのブロックの頂面と同一面となる厚さで道路や敷地の上面を舗装し、上記溝ブロックに落とし込んだ蓋板ブロックの上面と舗装した道路や敷地の表面とが同一面となるようにしている。なお、舗装面上の水は、蓋板ブロックに設けた切欠や所々に設けたグレーチング蓋（格子蓋）の格子目を通って側溝内に流入する。
【０００３】
路側や敷地の側縁部は、人が通行する歩道となっていることが多い。上記構造の側溝が設けられている歩道では、舗装された歩道面の側部に連続する蓋板の表面で路面が形成されることとなる。この路面は、切欠やグレーチングが設けてあったり、隣接する蓋板表面の間に段差があったり、通行時にがたついたりして、歩き難い。また、蓋板ががたついて騒音を発することがあり、歩道表面がアスファルト舗装であると、長年の通行により摩滅して側溝の部分との間に段差が生じたりする。更に蓋板が連続する路面は、道路の美感を損ね、狭い歩道が一層狭く見え、特に路面が古くなると、雑然とした印象を与える。
【０００４】
一方、下記特許文献には、透水舗装において、溝ブロックに覆着した側溝蓋の上面を道路の表層となる透水舗装層で覆い、透水舗装層内を流れた水が側溝蓋に設けた開口を通って側溝内に流下するようにした舗装構造が提案されている。この舗装構造によれば、側溝蓋の上面が一面の透水舗装層で覆われるので、上記のような歩行に障害を与える問題や美観の問題が解決される。
【特許文献１】特開２００５−１７１５９７号公報
【特許文献２】特開２００５−２３７７６号公報
【考案の開示】
【考案が解決しようとする課題】
【０００５】
上記特許文献で提案された構造では、舗装上面の水も透水舗装層を透過しなければ側溝内に流入できないので、透水舗装層内を流下可能な水量より多い降水があった場合など、透水舗装層を通過できない水が舗装面上に溢れるという問題が生ずる。この問題を避けるには、蓋板に設ける開口を大きくして透水舗装層を透過して多量の水が側溝内に流入できるようにしなければならないが、そうすると一般的なコンクリートブロック製の蓋板では強度が不足し、従って蓋板として特殊な材質及び構造のものが必要となる問題が生ずる。また、水が透水層を通過しなければ側溝に流入できないので、透水性のない舗装構造では採用することができない。
【０００６】
この考案は、上記のような従来構造の問題点を解決する研究の一環としてなされたもので、道路や敷地の表面と蓋板を覆着した側溝の上面とを一体の非透水性舗装層ないし透水性舗装層で一面に覆った舗装構造において、舗装面上の雨水等を速やかに側溝内に流下させることを可能にした舗装構造で用いる施工性に優れた蓋板ブロックを提供することを課題としている。
【課題を解決するための手段】
【０００７】
この考案の側溝用蓋板ブロックは、道路や敷地の側縁に沿って配設された側溝５の蓋板７を載置した上面が、その道路や敷地の表層となる舗装層２０で一面に覆われている舗装構造に用いられる。上記表層となる舗装層２０は透水舗装層であっても非透水舗装層であってもよい。
【０００８】
上記構造の舗装構造で用いられる本願の請求項１ないし３の考案に係る側溝用蓋板ブロックは、一側縁に、溝ブロックの蓋掛かり２２の内側に開口されるように上面から下面へと、好ましくは内側に向けて拡げられて、貫通する切欠２１と、道路表面の舗装層２０の厚さと略同一高さでブロック上面に突出する前記一側縁と平行な内畝１９とを備えている側溝用蓋板ブロックであり、請求項３の蓋板ブロックは、上記構造における片側側縁４１と内畝１９との間のブロック上面にドレーン金具１８を備えたものである。
【０００９】
また本願の請求項４ないし６の考案に係る側溝用蓋板ブロックは、一側縁の上面に突出する側畝４０と、この側畝との間に間隔を隔てて道路表面の舗装層２０の厚さと略同一高さで前記側畝４０と平行に突出する内畝１９と、この側畝と内畝の間から溝ブロックの蓋掛かり２２の内側に開口されるように、好ましくは上面から下面へとブロックの内側に向けて拡げられて、ブロック下面に連通する切欠２１ないし貫通孔３５とを備えている側溝用蓋板ブロックであり、、請求項６の蓋板ブロックは、上記構造における側畝４０畝１９との間のブロック上面にドレーン金具１８を備えたものである。
【００１０】
ドレーン金具１８は、断面下向きコ字形ないし逆台形に屈曲された細長い金属板製の金具で、その上面には水が流入する多数の透孔が設けられているものである。
【００１１】
上記請求項１ないし３の考案に係る蓋板ブロックは、道路２の側縁に沿って埋設された側溝５の上面と道路基盤４の上面とをアスファルト舗装、タイル舗装、透水舗装などの舗装層２０で一面に覆い、前記側溝の本体にはその反道路側の縁に沿って舗装層２０の上面と略同一高さとなる側壁頂部２５を形成すると共に、前記側溝の蓋板７にはその反道路側の縁に沿って舗装層２０の上面と同一高さないし若干低い高さとなる内畝１９を形成し、この側壁頂部と内畝との間にドレーン金具１８やドレーン口３３を設けて、舗装層２０上の雨水等を側溝内に流入させる構造の舗装構造で用いるものである。
【００１２】
また、上記請求項４ないし６の考案に係る蓋板ブロックは、道路２の側縁に沿って埋設された側溝５の上面と道路基盤４の上面とをアスファルト舗装、タイル舗装、透水舗装などの舗装層２０で一面に覆い、前記側溝の蓋板７には、その反道路側の縁に沿って側畝４０を形成すると共に、この側畝の内側に舗装層２０の上面と同一高さないし若干低い高さとなる内畝１９を形成し、この側畝と内畝との間にドレーン金具１８やドレーン口３３を設けて、舗装層２０上の雨水等を側溝内に流入させる構造の舗装構造で用いられるものである。
【００１３】
側溝はＵ字溝、勾配可変側溝、現場打ちコンクリートの側溝のいずれの構造でもよいが、特にこの種の側溝を備えた既存の歩道を改修するときに、この考案の蓋板ブロックを用いた上記構造の舗装構造とすることにより、歩道の外観及び機能を大幅に向上させることができる。
【００１４】
舗装層２０を透水舗装としたときは、内畝１９を貫通する透水開口４４を設けて、透水舗装層２０内を流れる雨水等を側溝内に流入させる。
【考案の効果】
【００１５】
この考案によれば、側溝に覆着された蓋板ブロックの上面を道路や敷地の舗装面と同一の舗装材で一面に覆う構造の舗装構造を構築する際、表面の舗装層２０を蓋板ブロック７の内畝１９で止まるように施工すれば、内畝１９と側畝４０の間又は内畝１９と溝ブロックの外側側壁頂部２５との間に、舗装層２０の表面上を流れた水を側溝内に流下させるための充分な断面積を備えた導水路２１、３５を形成できるので、舗装層が透水舗装であるか否かに関らず、通行性及び美観に優れた舗装構造が得られる。そして、充分な流路断面を備えた側溝を設けることが容易に可能で、側溝への水の流入口も道路の縁の部分に設けられるので、通行の障害になることがない。
【００１６】
また、舗装層２０の縁が内畝１９によって規定されるので、美観に優れた舗装層２０を容易かつ正確に施工でき、内畝１９と側畝４０との間や内畝１９と溝ブロックの外側側壁頂部２５との間に舗装材がはみ出して、これらの間に設けたドレーン金具１８の交換に支障が生じたり、側溝への水の流路に舗装材が入り込んで流路面積を狭めたりするおそれもなくなる。
【００１７】
更に、内畝１９と側畝４０ないし溝ブロックの外側側壁頂部２５との間に形成される導水路２１、３５は、流水抵抗が小さいので、透水舗装層で覆着された蓋板上面に設ける通水開口に比べて流路面積が小さくて済み、側溝の蓋板７に大面積の通水開口や多数の通水開口を形成することに起因する蓋板の強度低下を避けることができる。コンクリートブロック製の通常構造の蓋板とできるので、経済的である。
【考案を実施するための最良の形態】
【００１８】
以下、図面を参照して、この考案の好ましい実施形態を説明する。図１及び２は、この考案の第１実施形態の蓋板ブロック７を示した図である。蓋板ブロック７は、平面矩形形状で、内部に鉄筋が配置された所定厚さのコンクリート製のブロックである。
【００１９】
蓋板ブロック７の上面７ａには、図１に示すように、施工時に外側となる側縁４１から若干内側の位置に、施工される表面の舗装層２０（図２参照）の厚さｔに相当する高さｈの内畝１９が一体に形成されている。そしてこの内畝１９と前記側縁４１との間には、蓋板ブロック７の上面から下面へと連通する切欠２１が設けられている。切欠２１は、要すれば図６に示されているように、上面から下面側へとブロックの内側へ向けて広げられた形状として、その下端が溝ブロック５ａの蓋掛かり２２の内側に開口されるようにしてある。
【００２０】
内畝１９は、蓋板ブロック７に一体に形成され、図２に示すように、蓋板ブロック７の上面を覆う舗装層２０を施工する際の成形壁としての機能を有している。図１のブロックを用いた施工では、図２に示すように、蓋板７とこれを覆着した溝ブロック５ａの外側側壁の頂部２５との間に連続して細隙状（例えば幅１０ｍｍ程度）に開口するドレーン口３３が形成される。
【００２１】
内畝１９とブロック側縁４１との間のドレーン口３３の開口幅を規定している突出部４３を、図３に示すように、内畝１９の頂部の高さにまで設ければ、ドレーン口３３が溝ブロックの外側側壁頂部２５と内畝１９との間に間欠的に開口する。また、図４に示すように、ブロック側縁４１と内畝１９の外側面との間隔をドレーン金具１８の幅寸法とし、前記突出部４３の頂面の高さを内畝１９の上面からドレーン金具１８の高さ分だけ低くして、当該頂部にドレーン金具１８の固定ねじを螺合するインサートナットを設けておけば、溝ブロックの外側側壁頂部２５と蓋板ブロックの内畝１９との間にドレーン金具１８を備えた流水口を形成することができる。
【００２２】
次に上記蓋板ブロックを用いた舗装構造の例を図５を参照して説明する。歩道２の路側（民地３側の縁）に沿ってＵ字溝ブロック５ａが設置されており、このＵ字溝ブロックの上面開口は、蓋板ブロック７で閉鎖されている。Ｕ字溝ブロック５ａの民地３側の側壁１５の高さは、道路側の側壁１６の高さより道路表面の舗装層２０の層厚さｔ分だけ高い。蓋板ブロック７は、その上面７ａを道路側の側壁１６の頂面と同一高さにして嵌装されている。そしてこの蓋板ブロックの内畝１９より内側の蓋板ブロックの上面、側溝の内側側壁１６の頂面及び歩道の基盤４の上面を被って、アスファルト舗装やタイル舗装などの舗装層２０が形成されている。
【００２３】
次に図６を参照して、既設のＵ字溝を備えた歩道を上記の舗装構造とする施工手順について説明する。まず、既存のＵ字溝に覆着されている従来型の蓋板を撤去し、古くなった歩道表面の舗装材を所望の厚さで削除する。更に既設のＵ字溝の内側側壁１６の頂部を施工しようとする道路表面の舗装層２０の厚さに相当する高さ分切除する。この高さは、通常２〜３ｃｍである（図６（ａ））。
【００２４】
次にＵ字溝５ａの道路側側壁１６を低くした分だけ厚さを薄く成形した蓋板ブロック７をＵ字溝５ａに嵌装する。この蓋板ブロック７は、図１に示した一側縁に切欠２１とその内側に位置する内畝１９とを備えたブロックで、当該切欠２１が民地３側になる方向にして嵌装する（図６（ｂ） ）。
【００２５】
必要に応じ、嵌装した蓋板ブロック７の内畝１９とＵ字溝の外側側壁の頂部２５との間にドレーン金具１８を装着する（図６（ｃ）、図４参照）。そして、内畝１９を舗装端縁として、内畝１９より道路側の蓋板ブロック７、Ｕ字溝の道路側側壁１６及び道路基盤４の上面を一体に覆う舗装層２０を施工する。
【００２６】
蓋板ブロック７、側壁１６及び道路基盤４の上面に段差や凹凸があっても、これらを一体に覆う舗装層２０で道路表面を段差や凹凸のない路面とすることができる。道路２上の雨水は、ドレーン口３３又はこれに設けたドレーン金具１８の透孔及び蓋板ブロックの切欠２１を通ってＵ字溝５ａの流路内へと流下する。
【００２７】
なお、舗装層２０を透水舗装層とするときは、図７に示すように、内畝１９の内側付根部分に舗装層２０内を流れる水を切欠２１又は蓋板ブロックの下面に導く透水口４４を成形しておく。この透水口４４には、必要に応じてフィルターないし目皿４５を設ける。また、蓋板ブロックの上面７ａに内畝１９側が低くなる方向の勾配を設けることにより、透水舗装としたときの舗装層２０内を流れる雨水等を円滑に透水口４４に導くことができる。
【００２８】
なお、新たに施工する舗装層２０の上面が既設の道路面より高くなるいわゆる嵩上げ舗装をするときは、内畝１９の上面の高さが溝ブロックの外側側壁頂部２５の高さより高くなるので、図８に示すように、内畝１９の外側面を斜面として舗装層２０上の雨水等がこの斜面に沿ってドレーン金具やドレーン口３３へと流下する構造とするのが好ましい。
【００２９】
なお、図６で説明した施工手順は、Ｕ字溝を備えた既存の路面を改修する手順を示したものである。新たにＵ字溝を含めて歩道を造るときは、側壁の一方１６を他方１５より舗装層２０の厚さに相当する分だけ低くした溝ブロックを成形してそれを用いれば、側壁の頂部を切除する作業が不要になる。
【００３０】
また新規に溝ブロックを成形する場合は、蓋板ブロックの切欠２１の下方をブロック内側に向けて拡げる代わりに、溝ブロックの蓋掛かり２２の部分に、蓋板ブロックの切欠２１に連通する切欠溝を成形して、蓋板ブロック７の上面と溝ブロックの流路とを連通させることもできる。また切欠２１を内畝１９の外側から蓋板ブロック７の下面に連通する斜めの貫通孔とすることもできる。
【００３１】
以上の例は、蓋板ブロック７が落し蓋、すなわち蓋板ブロック７が溝ブロック５ａの側壁頂部１５、１６の間に落し込まれた状態で取り付けられる構造の側溝についてのものであるが、蓋板が被せ蓋、すなわち蓋板ブロックが溝ブロックの両側の側壁頂部の上に載る構造の場合や、新しく施工する舗装層の嵩上げ量が大きい場合には、蓋板ブロックの片側の側縁に設けた側畝４０と内畝１９との間にドレーン金具やドレーン口を形成する構造が適している。
【００３２】
図９はその一例を示した図である。図９の蓋板ブロック７は、その道路外側となる側縁にブロック上面に突出する側畝４０が形成され、当該側畝４０からドレーン金具１８の幅寸法だけ内側の位置に、この側畝４０と平行に上述したと同様な内畝１９が形成されている。側畝４０と内畝１９の間には、ドレーン金具１８を嵌装する溝４２が形成され、この溝の底面から蓋板ブロックの下面に連通する切欠２１ないし貫通孔３５が成形され、当該溝の底面の適宜な位置にドレーン金具１８を固定するインサートナットが埋設されている。ドレーン金具１８は、上記溝４２装され、前記インサートナットに螺合したねじで固定されている。舗装層２０は、内畝１９より道路内側の部分の、蓋板ブロックの上面７ａ及び道路基板を覆って一体に設けられる。舗装層２０が透水舗装であるときは、内畝１９の内側根本部分に図７で説明したような透水口４４を設けてやればよい。
【００３３】
なお、内畝１９は、舗装層２０の縁を成形する機能を有しているので、その畝高さは、舗装層２０の上面と同一高さか若干低い高さとするのがよい。一方、側畝４０の高さは、歩道上の雨水等が隣接した民地などに流入するのを防止したいような場合には、舗装層２０の上面より高くするのがよい。なお図９の例は、側畝４０と内畝１９との間のスリット状のドレーン口にドレーン金具１８を設けた例であるが、図１や図３に示すような切欠ないし貫通孔を側畝４０と内畝１９との間の溝底面に設けることにより、両畝４０、１９の間に連続的に又は間欠的に開口するスリット状のドレーン口を開口させることができる。
【図面の簡単な説明】
【００３４】
【図１】この考案の蓋板ブロックの第１例を示す斜視図
【図２】舗装層と内畝との関係を示す要部の斜視図
【図３】この考案の蓋板ブロックの第２例の斜視図
【図４】同第３例の斜視図
【図５】図１の蓋板ブロックを用いた舗装号増を示す断面図
【図６】施工手順を示す説明図
【図７】図２の構造を透水舗装に適用した例を示す要部の斜視図
【図８】図２の構造を嵩上げ舗装に適用した例を示す要部の断面図
【図９】被せ蓋への適用の例を示す断面斜視図
【符号の説明】
【００３５】
２  道路
４  道路基盤
５、5a  溝ブロック
７  蓋板ブロック
18  ドレーン金具
19  内畝
20  舗装層
21  切欠
33  ドレーン口
35  貫通孔
40  側畝
【図１】
0003119258.tif 000003
【図２】
0003119258.tif 000004
【図３】
0003119258.tif 000005
【図４】
0003119258.tif 000006
【図５】
0003119258.tif 000007
【図６】
0003119258.tif 000008
【図７】
0003119258.tif 000009
【図８】
0003119258.tif 000010
【図９】
0003119258.tif 000011